(57)【要約】      （修正有）【課題】製造コストの低減を図ることができる太陽電池及び太陽電池モジュールを提供する。【解決手段】第１のフィンガー電極部３４２と第２のフィンガー電極部３５２とは連結されずに第１の方向５１に沿って並列されるように設けられ、また、第２のフィンガー電極部３５２と第３のフィンガー電極部３６２とは連結されずに第１の方向５１に沿って並列されるように設けられている。【選択図】図２
0003188712.tif 000002
【実用新案登録請求の範囲】
【請求項１】
受光面としての表面と該表面と背中合わせの裏面とを有する基板と、
前記基板の前記裏面に設けられている裏面電極ユニットと、
前記基板の前記表面の表側に設けられており、互いに接触せずに隔てて第１の方向に並列されている第１の電極と、第２の電極と、第３の電極とを有する表面電極ユニットと、を備え、
前記第１の電極は、前記第１の方向と同一平面で直角の第２の方向に沿って延びて形成された第１のバスバー電極部と、前記第１のバスバー電極部の前記第２の方向の両側のそれぞれより前記第１の方向に沿って延びると共に前記第２の方向沿いに互いに隔てて並列されるように形成された複数の第１のフィンガー電極部とを有し、
前記第２の電極は、前記第２の方向に沿って延びて形成された第２のバスバー電極部と、前記第２のバスバー電極部の前記第２の方向の両側のそれぞれより前記第１の方向に沿って延びると共に前記第２の方向沿いに互いに隔てて並列されるように形成された複数の第２のフィンガー電極部とを有し、
前記第３の電極は、前記第１の方向沿いに前記第２の電極を隔てて前記第１の電極と並列するように、前記第２の方向に沿って延びて形成された第３のバスバー電極部と、前記第３のバスバー電極部の前記第２の方向の両側のそれぞれより前記第１の方向に沿って延びると共に前記第２の方向沿いに互いに隔てて並列されるように形成された複数の第１のフィンガー電極部とを有し、
前記第１のフィンガー電極部と前記第２のフィンガー電極部とは互いに連結されずに並ぶように設けられ、
前記第２のフィンガー電極部と前記第３のフィンガー電極部とは互いに連結されずに並ぶように設けられていることを特徴とする太陽電池。
【請求項２】
更に前記第１のバスバー電極部と前記第１のフィンガー電極部を取り囲むようにリング状に設けられた第１の接続電極部を有し、前記第１の接続電極部は、前記第１のバスバー電極部の前記第２の方向沿いの両端部と、前記第１のフィンガー電極部における前記第１のバスバー電極部と連結された内側端部の反対側の外側端部のそれぞれとを繋いで設けられていることを特徴とする請求項１に記載の太陽電池。
【請求項３】
更に前記第２のバスバー電極部と前記第２のフィンガー電極部を取り囲むようにリング状に設けられた第２の接続電極部を有し、前記第２の接続電極部は、前記第２のバスバー電極部の前記第２の方向沿いの両端部と、前記第２のフィンガー電極部における前記第２のバスバー電極部と連結された内側端部の反対側の外側端部のそれぞれとを繋いで設けられていることを特徴とする請求項１又は２に記載の太陽電池。
【請求項４】
更に前記第３のバスバー電極部と前記第３のフィンガー電極部を取り囲むようにリング状に設けられた第３の接続電極部を有し、前記第３の接続電極部は、前記第３のバスバー電極部の前記第３の方向沿いの両端部と、前記第３のフィンガー電極部における前記第３のバスバー電極部と連結された内側端部の反対側の外側端部のそれぞれとを繋いで設けられていることを特徴とする請求項１〜３のいずれかの一項に記載の太陽電池。
【請求項５】
更に、前記第２の方向に沿って延びて形成されている接続電極部を有し、前記接続電極部は、前記第１のフィンガー電極部、前記第２のフィンガー電極部及び前記第３のフィンガー電極部の少なくとも一つにおける、対応する前記第１のバスバー電極部、前記第２のバスバー電極部及び前記第３のバスバー電極部の少なくとも一つの一側又は/及び他側の同じ側の前記第２の方向沿いに隣接したＮ本をセットとして連結し、前記Ｎは２と等しい又は２より大きい整数であることを特徴とする請求項１に記載の太陽電池。
【請求項６】
更に、前記第２の方向に沿って延伸されて形成された一側接続電極部と、他側接続電極部とを有し、
前記一側接続電極部は前記第１のフィンガー電極部、前記第２のフィンガー電極部及び前記第３のフィンガー電極部の少なくとも一つにおける、対応する前記第１のバスバー電極部、前記第２のバスバー電極部及び前記第３のバスバー電極部の少なくとも一つの一側の前記第２の方向沿いに隣接したＮ本をセットとして連結し、
前記他側接続電極部は前記第１のフィンガー電極部、前記第２のフィンガー電極部及び前記第３のフィンガー電極部の少なくとも一つにおける、対応する前記第１のバスバー電極部、前記第２のバスバー電極部及び前記第３のバスバー電極部の少なくとも一つの他側の前記第２の方向沿いに隣接したＭ本をセットとして連結し、
前記Ｎ及び前記Ｍは２と等しい又は２より大きい整数であり、
前記一側接続電極部と前記他側接続電極部とは前記第１の方向と平行に交錯して配置されている、ことを特徴とする請求項１に記載の太陽電池。
【請求項７】
更に、前記第２の方向に沿って延伸された第１のサイド接続電極部と第２のサイド接続電極部とを有し、
前記第１のフィンガー電極部は、前記第１のバスバー電極部と繋がっている第１の内側端部と、前記第１の内側端部と逆側の第１の外側端部とを有し、前記第１のバスバー電極部の前記第２の方向の一側及び他側の同じ側の隣り合った２つの前記第１の外側端部がそれぞれセットとなって前記第１のサイド接続電極部によって連結され、
前記セットとなった２つの前記第１のフィンガー電極部は対応する連結された前記第１のサイド接続電極部とにより第１のフィンガー電極セットとすることで、前記第１の電極は前記第１のバスバー電極部の前記第２の方向の両側に前記第２の方向に沿って並列配置された複数の前記第１のフィンガー電極セットを有し、
前記第２のフィンガー電極部は、前記第２のバスバー電極部と繋がっている第２の内側端部と、前記第２の内側端部と逆側の第２の外側端部とを有し、前記第２のバスバー電極部の前記第２の方向の一側及び他側の同じ側の隣り合った２つの前記第２の外側端部がそれぞれセットとなって前記第２のサイド接続電極部によって連結され、
前記セットとなった２つの前記第２のフィンガー電極部は対応する連結された前記第２のサイド接続電極部とにより第２のフィンガー電極セットとすることで、前記第２の電極は前記第２のバスバー電極部の前記第２の方向の両側に前記第２の方向に沿って並列配置された複数の前記第２のフィンガー電極セットを有し、
前記第１のフィンガー電極セットと前記第２のフィンガー電極セットは、交錯して前記第１の方向に隣り合って並列され、
更に前記第２の方向沿いに隣り合った前記第１のフィンガー電極セットの間を連結するように前記第２の方向に沿って延伸された第１の内側接続電極部を有し、
更に前記第２の方向沿いに隣り合った前記第２のフィンガー電極セットの間を連結するように前記第２の方向に沿って延伸された第２の内側接続電極部を有し、
前記第１の内側接続電極部は、前記第１のサイド接続電極部よりも前記第１のバスバー電極部に近づいて設けられ、
前記第２の内側接続電極部は、前記第２のサイド接続電極部よりも前記第２のバスバー電極部に近づいて設けられていることを特徴とする請求項１に記載の太陽電池。
【請求項８】
更に前記第１のバスバー電極部と前記第１のフィンガー電極部を取り囲むようにリング状に設けられた第１の接続電極部を有し、前記第１の接続電極部は、前記第１のバスバー電極部の前記第２の方向沿いの両端部と、前記第１のフィンガー電極部における前記第１のバスバー電極部と連結された第１の内側端部の反対側の第１の外側端部のそれぞれとを繋いで設けられ、
更に前記第２の方向に沿って延伸されて形成された複数の第１の内側接続電極部を有し、前記第２の方向沿いに隣り合った２つの前記第１のフィンガー電極部は、前記第１の内側接続電極部によって連結され、
更に前記第２のバスバー電極部と前記第２のフィンガー電極部を取り囲むようにリング状に設けられた第２の接続電極部を有し、前記第２の接続電極部は、前記第２のバスバー電極部の前記第２の方向沿いの両端部と、前記第２のフィンガー電極部における前記第２のバスバー電極部と連結された第２の内側端部の反対側の第２の外側端部のそれぞれとを繋いで設けられ、
更に第２の方向に沿って延伸されて形成された複数の前記第２の内側接続電極部を有し、前記第２の方向沿いに隣り合った２つの前記第２のフィンガー電極部は、第２の内側接続電極部によって連結され、
前記第１の内側接続電極部は前記第２の方向沿いに隣接した前記第１のフィンガー電極部の前記第１の外側端部に沿う直線よりも前記第１のバスバー電極部に近づいて設置され、
前記第２の内側接続電極部は前記第２の方向沿いに隣接した前記第２のフィンガー電極部の前記第２の外側端部に沿う直線よりも前記第２のバスバー電極部に近づいて設置されていることを特徴とする請求項１に記載の太陽電池。
【請求項９】
前記第２の方向沿いに隣り合った前記第１のフィンガー電極部の間の距離及び前記第２の方向沿いに隣り合った前記第２のフィンガー電極部の間の距離をｄ１とし、
前記第１のフィンガー電極部の前記第２の電極側の前記第１の外側端部を通る前記第２の方向沿いの直線を第１の直線Ｌ１、前記第２のフィンガー電極部の前記第１の電極側の前記第２の外側端部を通る前記第２の方向沿いの直線を第２の直線Ｌ２、前記Ｌ１と前記Ｌ２との間の距離をｄ２とすると、ｄ１≧ｄ２＞１００μｍであることを特徴とする請求項７又は８に記載の太陽電池。
【請求項１０】
前記第１のフィンガー電極部及び前記第２のフィンガー電極部の前記第１の方向の延伸された長さをＸ、前記第１の内側接続電極部から前記第１のフィンガー電極セットにおける前記第１のフィンガー電極部の前記第１の外側端部の前記第２の方向沿いの直線に至る前記第１の方向沿いの距離をｄ３、前記第２の内側接続電極部から前記第２のフィンガー電極セットにおける前記第２のフィンガー電極部の前記第２の外側端部の前記第２の方向沿いの直線に至る前記第１の方向沿いの距離をｄ４とするとき、ｄ３＝Ｘ／２〜Ｘ／３、ｄ４＝Ｘ／２〜Ｘ／３であることを特徴とする請求項７又は８に記載の太陽電池。
【請求項１１】
互いに上下対向して配置されている第１のプレート状部材と第２のプレート状部材と、
前記第１のプレート状部材及び前記第２のプレート状部材の間に配列されている請求項１〜１０のいずれかの一項の複数の太陽電池と、
前記太陽電池の周りを取り囲むと共に前記第１のプレート状部材及び前記第２のプレート状部材の間に配置されている少なくとも１つのパッケージ部材とを備えている太陽電池モジュール。
【考案の詳細な説明】
【技術分野】
【０００１】
本考案は、太陽電池及び太陽電池モジュールに関し、特に結晶系シリコンを用いた太陽電池及び太陽電池モジュールに関する。
【背景技術】
【０００２】
従来の結晶シリコン系太陽電池は、太陽光のエネルギーを電力に光電変換する電池本体と、電池本体の両面のそれぞれに積層した表面電極ユニットと裏面電極ユニットとを備えている。表面電極ユニットは、受光面電極ユニットとして、縦長く延伸して帯状に形成された少なくとも１本のバスバー電極(bus bar electrode)と、バスバー電極の横側に連結されるように延伸された複数のフィンガー電極（finger electrode）とが設けられている。バスバー電極及びフィンガー電極は、導電ペーストを電池本体の受光面に印刷し、高温焼結により導電ペーストを硬化して形成される。
【０００３】
表面電極ユニットの製造の際には、スクリーン印刷法で導電ペーストを塗布することで、電極形成のための導電ペーストの量を減らすことができ、太陽電池の製造コストを低減することができる。ペースト材料の価格が高まる中、導電ペーストの使用量をより少なくして太陽電池の製造コストを低く抑えることが課題となっている（例えば特許文献１参照）。
【先行技術文献】
【特許文献】
【０００４】
【特許文献１】台湾登録実用新案第Ｍ４２６８７６号公報
【考案の概要】
【考案が解決しようとする課題】
【０００５】
上記従来の太陽電池では、裏面バスバー電極を短冊状に複数形成すると共に互いに所定の間隔をおいてそれぞれ長手方向に沿って長く並ぶように印刷することによって導電ペーストの使用量を減らす手法をとっているが、光電変換効率の向上と製造コストの低減が求められている中、なおも改善すべきところがあるだろう。
【０００６】
本考案は、上記事情に鑑みてなされたもので、新規な構造によって製造コストの低減を図ることができる太陽電池及び太陽電池モジュールを提供することを目的とする。
【課題を解決するための手段】
【０００７】
上記目的を達成するために、一の観点によれば、本考案は、受光面としての表面と該表面と背中合わせの裏面とを有する基板と、前記基板の前記裏面に設けられている裏面電極ユニットと、前記基板の前記表面の表側に設けられており、互いに接触せずに隔てて第１の方向に並列されている第１の電極と、第２の電極と、第３の電極とを有する表面電極ユニットと、を備え、前記第１の電極は、前記第１の方向と同一平面で直角の第２の方向に沿って延びて形成された第１のバスバー電極部と、前記第１のバスバー電極部の前記第２の方向の両側のそれぞれより前記第１の方向に沿って延びると共に前記第２の方向沿いに互いに隔てて並列されるように形成された複数の第１のフィンガー電極部とを有し、前記第２の電極は、前記第２の方向に沿って延びて形成された第２のバスバー電極部と、前記第２のバスバー電極部の前記第２の方向の両側のそれぞれより前記第１の方向に沿って延びると共に前記第２の方向沿いに互いに隔てて並列されるように形成された複数の第２のフィンガー電極部とを有し、前記第３の電極は、前記第１の方向沿いに前記第２の電極を隔てて前記第１の電極と並列するように、前記第２の方向に沿って延びて形成された第３のバスバー電極部と、前記第３のバスバー電極部の前記第２の方向の両側のそれぞれより前記第１の方向に沿って延びると共に前記第２の方向沿いに互いに隔てて並列されるように形成された複数の第１のフィンガー電極部とを有し、前記第１のフィンガー電極部と前記第２のフィンガー電極部とは互いに連結されずに並ぶように設けられ、前記第２のフィンガー電極部と前記第３のフィンガー電極部とは互いに連結されずに並ぶように設けられていることを特徴とする太陽電池を提供する。
【０００８】
また、他の観点によれば、本考案は、互いに上下対向して配置されている第１のプレート状部材と第２のプレート状部材と、前記第１のプレート状部材及び前記第２のプレート状部材の間に配列されている複数の本考案に係る上記太陽電池と、前記太陽電池の周りを取り囲むと共に前記第１のプレート状部材及び前記第２のプレート状部材の間に配置されている少なくとも１つのパッケージ部材とを備えている太陽電池モジュールをも提供する。
【考案の効果】
【０００９】
上記のように構成された本考案に係る太陽電池及び太陽電池モジュールは、従来のフィンガー電極の連続的に連結された構成と比べて、第１のフィンガー電極部及び第２のフィンガー電極部の間、第２のフィンガー電極部及び第３のフィンガー電極部の間が接続されず隣り合うように配置されていることで、電極の電流収集効果を良好に保つことができる上、導電ペーストの使用量を少なくすることができ、製造コストを低く抑えることができる。
【図面の簡単な説明】
【００１０】
【図１】本考案に係る太陽電池モジュールの第１の実施形態の構成を示す一部断面図である。
【図２】第１の実施形態に係る太陽電池の平面図である。
【図３】図２における線Ａ−Ａの断面図である。
【図４】本考案に係る太陽電池モジュールの第２の実施形態の構成を示す平面図である。
【図５】本考案に係る太陽電池モジュールの第３の実施形態の構成を示す平面図である。
【図６】本考案に係る太陽電池モジュールの第４の実施形態の構成を示す平面図である。
【図７】図６の一部を拡大して示す図である。
【図８】本考案に係る太陽電池モジュールの第５の実施形態の構成を示す平面図である。
【考案を実施するための形態】
【００１１】
以下、本考案をいくつかの好適な実施の形態をもとに図面を参照しながら説明する。各図面に示される同一または同等の構成要素、部材、処理には、同一の符号を付するものとし、適宜重複した説明は省略する。また、実施の形態は、考案を限定するものではなく例示であって、実施の形態に記述されるすべての特徴やその組み合わせは、必ずしも考案の本質的なものであるとは限らない。
【００１２】
（第１の実施形態）
図１は、本考案に係る太陽電池モジュールの第１の実施形態の構成を示す一部断面図、図２は、第１の実施形態に係る太陽電池の平面図、図３は、図２における線Ａ−Ａの断面図である。この太陽電池モジュールは、図示の如く、互いに上下対向して配置されている第１のプレート状部材１と第２のプレート状部材２と、第１のプレート状部材１及び第２のプレート状部材２の間にマトリックス状に配置されている複数の太陽電池３と、太陽電池３の周りを取り囲むと共に第１のプレート状部材１及び第２のプレート状部材２の間に配置されている少なくとも１つのパッケージ部材４とを備えている。
【００１３】
第１のプレート状部材１及び第２のプレート状部材２としては、ガラスやプラスチックのプレートを用いることができ、特に制限されない。なお、太陽電池の受光面側としてのプレート状部材としては、光透過性を持ったものが必要である。パッケージ部材４は、例えば光透過性を有するエチレン酢酸ビニール（ＥＶＡ）コポリマーなどの材料を適切に用いることができ特に制限されない。
【００１４】
複数の太陽電池３は、隣り合う太陽電池３、３同士を帯状の導線（ribbon）（図示せず）によって電気的に接続している。なお、太陽電池３のそれぞれの構成は同じであるので、以下、複数の太陽電池３におけるいずれかの一つについて説明する。
【００１５】
太陽電池３は、電池本体３１と、裏面電極ユニット３２と、表面電極ユニット３３とを含む。電池本体３１は、受光面としての表面３１１と該表面３１１と背中合わせの裏面３１２とを有する基板３１０と、基板３１０の表面３１１寄りの裏側に配置されたエミッタ層３１３と、表面３１１の表側に形成された反射防止層３１４とを有する。
【００１６】
基板３１０としては、例えば結晶シリコンとアモルファスシリコンのＳｉ系基板を用いることができる。電池本体３１は、基板３１０とエミッタ層３１３との一方がｎ型半導体、他方がｐ型半導体としてｎ型とｐ型の半導体を接合した構造をもつ。反射防止層３１４は光の反射を抑制して光の入射量を増やすために、例えば窒化ケイ素（ＳｉＮｘ）化合物を用いる。
【００１７】
裏面電極ユニット３２は、基板３１０の裏面３１２に設けられており、表面電極ユニット３３とにより太陽電池の電気エネルギーを外部に出力させる役割をもつ。なお、裏面電極ユニット３２の配置は当該技術分野では既知技術であるため、ここではその詳細は省略する。
【００１８】
表面電極ユニット３３は、基板３１０の表面３１１の表側に反射防止層３１４を貫通してエミッタ層３１３に接触するように設けられている。表面電極ユニット３３は、この第１の実施形態では、互いに接触せずに隔てて第１の方向５１（図３上の横幅方向）に並列されている第１の電極３４と、第２の電極３５と、第３の電極３６とを有する。この実施形態では、第１の電極３４、第２の電極３５及び第３の電極３６の構成は概ね同じである。
【００１９】
第１の電極３４は、第１の方向５１と同一平面で直角の第２の方向５２に沿って帯状に延びて形成された１本の第１のバスバー電極部３４１と、第１のバスバー電極部３４１の第２の方向５２の両側のそれぞれより第１の方向５１に沿って延びると共に、第２の方向５２沿いに互いに隔てて並列されるように形成された複数本の第１のフィンガー電極部３４２とを有する。
【００２０】
この実施形態において、第１の電極３４は更に、第１のバスバー電極部３４１と第１のフィンガー電極部３４２を取り囲むようにリング状に設けられた第１の接続電極部３４３を有し、第１の接続電極部３４３は、第１のバスバー電極部３４１の第２の方向５２沿いの両端部３４１ａ、３４１ｂと、第１のフィンガー電極部３４２における第１のバスバー電極部３４１と連結された内側端部３４４の反対側の外側端部３４５のそれぞれとを繋いで設けられている。
【００２１】
第１の接続電極部３４３は、複数本の第１のフィンガー電極部３４２間の接続ラインとして導電ネットワークをより良好に構成し、電流を集める効果の向上を果たす役割を有するものであり、この実施形態では、矩形のリングに形成されているが、第１のバスバー電極部３４１の両端部３４１ａ、３４１ｂと第１のフィンガー電極部３４２の外側端部３４５とを繋ぐように設けられればよく、この形状に限らない。第１の接続電極部３４３は、その線幅が一例として３０μｍ〜１２０μｍであるよう形成されている。なお、本考案では、第１の接続電極部３４３は必ずしも必要でない。
【００２２】
第２の電極３５は、第１の電極３４と同様に、１本の第２のバスバー電極部３５１と、第２のバスバー電極部３５１の第２の方向５２の両側に接続されて第１の方向５１沿いに延伸されていると共に、第２の方向５２沿いに互いに隔てて並列されるように形成されている複数本の第２のフィンガー電極部３５２と、第２のバスバー電極部３５１と複数本の第２のフィンガー電極部３５２とを取り囲んで接続されているリング状に形成された第２の接続電極部３５３を有する。
【００２３】
第３の電極３６は、第１の電極３４及び第２の電極３５と同様に、１本の第３のバスバー電極部３６１と、第３のバスバー電極部３６１の第２の方向５２の両側のそれぞれに接続されると共に第１の方向５１沿いに延伸され、第２の方向５２に並列されている複数本の第３のフィンガー電極部３６２と、第３のバスバー電極部３６１と複数の第３のフィンガー電極部３６２とを取り囲んで接続されているリング状に形成された第３の接続電極部３６３とを有する。
【００２４】
第１のフィンガー電極部３４２と第２のフィンガー電極部３５２とは連結されずに第１の方向５１に沿って並列されるように設けられ、また、第２のフィンガー電極部３５２と第３のフィンガー電極部３６２とは連結されずに第１の方向５１に沿って並列されるように設けられている。
第１の接続電極部３４３、第２の接続電極部３５３及び第３の接続電極部３６３は、それらの線幅が例えば３０μｍ〜１２０μｍであるように形成されている。
【００２５】
この実施形態に係る太陽電池及び太陽電池モジュールは、従来のフィンガー電極の連続的に連結された構成と比べて、第１のフィンガー電極部３４２及び第２のフィンガー電極部３５２の間、第２のフィンガー電極部３５２及び第３のフィンガー電極部３６２の間は接続されず隣り合うように配置されていることで、電極の電流収集効果を良好に保つことができる上、導電ペーストの使用量を少なくすることができ、製造コストを低く抑えることができる。
【００２６】
（第２の実施形態）
図４は、本考案に係る太陽電池モジュールの第２の実施形態の構成を示す平面図である。第２の実施形態では、第１の実施形態におけるリング状の接続電極部３４３、３５３、３６３に替わって、複数本の接続電極部３８によって所定数の隣り合ったフィンガー電極部を連結している。
接続電極部３８は、第２の方向５２に沿って延びて形成されている。
【００２７】
第１のフィンガー電極部３４２は、長く延伸されて帯状に形成された第１のバスバー電極部３４１の第２の方向５２の両側のそれぞれから第１の方向５１の外向きに延びて形成されており、同じ側に隣り合った例えば２本の第１のフィンガー電極部３４２がセットになって接続電極部３８によって連結され、第１のバスバー電極部３４１の一側の接続電極部３８は他側の接続電極部３８とは対向し、第１のバスバー電極部３４１の他側の接続電極部３８は第２のバスバー電極部３５１の一側の接続電極部３８と隣り合って並ぶように設けられている。第２のフィンガー電極部３５２及び第３のフィンガー電極部３６２は、第１のフィンガー電極部３４２と同様な構成であり、対応するバスバー電極部の一側又は／及び他側の同じ側に隣り合った２本のフィンガー電極部３５２、３５２及び３６２、３６２が接続電極部３８によってそれぞれ連結されている。接続電極部３８は、３０〜１２０μｍの線幅に形成されている。
【００２８】
以上により、複数本の接続電極部３８のそれぞれによって所定本数のフィンガー電極部の隣り合わせた同士を連結していることで、より良好な導電ネットワークを有し、電流を集める効果を向上させることができる。
【００２９】
なお、この第２の実施形態では、接続電極部３８によって第１の電極３４、第２の電極３５及び第３の電極３６のそれぞれにおけるフィンガー電極部３４２、３５２、３６２の第２の方向５２沿いの隣り合った同士を連結されているが、これに限らず、接続電極部３８は第１の電極３４のみ、又はこれらの電極３４、３５、３６における２つに対して存在してもよい。
【００３０】
なお、接続電極部３８によって連結されたフィンガー電極部３４２、３５２、３６２は隣り合って連結される数は２で１セットとしているが、それぞれの数をＮ１、Ｎ２、Ｎ３として２に制限されず、Ｎ１、Ｎ２、Ｎ３は３、４など２以上の整数であってもよく、Ｎ１とＮ２とＮ３とは互いに同じであってもよく異なってもよい。
【００３１】
この実施形態に係る太陽電池及び太陽電池モジュールは、従来のフィンガー電極が連続的につながっている構成と比べて、第１のフィンガー電極部３４２及び第２のフィンガー電極部３５２の間、第２のフィンガー電極部３５２及び第３のフィンガー電極部３６２の間が接続されず隣り合うように配置され、接続電極部３８によってフィンガー電極部３４２、３５２、３６２における同じ側に隣り合った２つを連結していることで、電極の電流収集効果を良好に保つことができる上、導電ペーストの使用量を少なくすることができ、製造コストを低く抑えることができる。
【００３２】
（第３の実施形態）
図５は、本考案に係る太陽電池モジュールの第３の実施形態の構成を示す平面図である。第３の実施形態に係る太陽電池モジュールは、第２の実施形態と類似する構成を有するが、第１のバスバー電極部３４１の第２の方向５２の両側における一側に第１の方向５１に沿って延伸されて形成された第１のフィンガー電極部３４２は、第２の方向５２沿いの隣り合わせた２つをセットとして第２の方向５２に沿って延伸されて形成された一側接続電極部３８ａによって連結され、第１のバスバー電極部３４１の他側に第１の方向５１に沿って延伸されて形成された第１のフィンガー電極部３４２は第２の方向５２沿いの隣り合わせた２つをセットとして一側接続電極部３８ａと交錯して対向せずに第２の方向５２に沿って延伸されて形成された他側接続電極部３８ｂによって連結されている。この実施形態では、第２の電極３５と第３の電極３６は、第１の電極３４と同様に構成されている。
【００３３】
第２の電極３５の第２の方向５２の一側（図５の右側）の第２のフィンガー電極部３５２は、第２の方向５２沿いの隣り合わせた２つをセットとして一側接続電極部３８ａによって連結されている。第２の電極３５の一側接続電極部３８ａは、第１の電極３４及び第３の電極３６の一側接続電極部３８ａに対して第１の方向５１にて対向すると共に、隣り合って並んでいる第１の電極３４及び第３の電極３６の他側接続電極部３８ｂと交錯するように設けられている。
【００３４】
第３の電極３６の第２の方向５２の一側の第２のフィンガー電極部３６２は、第２の方向５２沿いの隣り合わせた２つをセットとして一側接続電極部３８ａによって連結されている。第３の電極３６の一側接続電極部３８ａは、第１の電極３４及び第２の電極３５の一側接続電極部３８ａに対して第１の方向５１にて対向すると共に、隣り合って並んでる第２の電極３５の他側接続電極部３８ｂと交錯するように設けられている。
【００３５】
なお、第１の電極３４、第２の電極３５及び第３の電極３６それぞれのバスバー電極部３４１、３５１及び３６１の一側に配置された一側接続電極部３８ａによって連結されたフィンガー電極部３４２、３５２、３６２は、第２の方向５２沿いの隣り合わせて連結された本数をＮ１、Ｎ２、Ｎ３として２で１セットとしているが、Ｎ１、Ｎ２、Ｎ３は２に制限されず、３、４などの２以上の整数であってもよい。
【００３６】
なお、第１の電極３４、第２の電極３５及び第３の電極３６それぞれのバスバー電極部３４１、３５１及び３６１の他側に配置された他側接続電極部３８ｂによって連結されたフィンガー電極部３４２、３５２、３６２は、第２の方向５２沿いの隣り合って連結された数はＭ１、Ｍ２、Ｍ３として２で１セットとしているが、Ｍ１、Ｍ２、Ｍ３は２に制限されず、３、４などの２以上の整数であってもよい。
【００３７】
Ｎ１〜Ｎ３、Ｍ１〜Ｍ３は、２又は２以上の整数であり、同じであってもよく異なってもよい。一側接続電極部３８ａと他側接続電極部３８ｂの線幅は３０〜１２０μｍである。
【００３８】
なお、この第２の実施形態では、接続電極部３８ａ、３８ｂによって第１の電極３４、第２の電極３５及び第３の電極３６のそれぞれにおけるフィンガー電極部３４２、３５２、３６２の第２の方向５２沿いの隣り合った同士を連結しているが、これに限らず、第１の電極３４のみ、又はこれらの電極３４、３５、３６における２つに対して存在してもよい。
【００３９】
（第４の実施形態）
図６は、本考案に係る太陽電池モジュールの第４の実施形態の構成を示す平面図、図７は、図６の一部を拡大して示す図である。
上記の各実施形態においては、接続電極部がフィンガー電極部よりも細い線幅に形成されているが、同じ線幅であってもよい。
【００４０】
第４の実施形態に係る太陽電池モジュールは、第１の実施形態の構成とほぼ同じであるが、フィンガー電極部の線幅と接続電極部の線幅とが同じである点で異なっている。以下、これについてより詳しく説明する。なお、この実施形態に係る太陽電池モジュールはその角部が落とされて多角形に形成されている。
【００４１】
第１のフィンガー電極部３４２は、第１のバスバー電極部３４１の第２の方向５２の両側より第１の方向５１の外向きに延伸されて形成されており、第１のバスバー電極部３４１と繋がっている第１の内側端部３４４と、第１の内側端部３４４と逆側の第１の外側端部３４５とを有する。第１のバスバー電極部３４１の第２の方向５２の一側及び他側の隣り合った２つの第１のフィンガー電極部３４２がセットとなって第１のサイド接続電極部３９、３９、・・・によって連結されている。
【００４２】
第１のバスバー電極部３４１の一側の第１のサイド接続電極部３９は、他側の第１のサイド接続電極部３９と対向し、他側の第１のサイド接続電極部３９は、第２のバスバー電極部３５の一側の第２のサイド接続電極部３０と交錯して隣接するように並んでいる。
【００４３】
セットとなった２つの第１のフィンガー電極部３４２、３４２のそれぞれの第１の外側端部３４５、３４５が第１のサイド接続電極部３９によって連結されており、該第１のサイド接続電極部３９とにより第１のフィンガー電極セット３４０とすることで、第１の電極３４は第１のバスバー電極部３４１の第２の方向５２の両側に第２の方向５２に沿って並列配置された複数の第１のフィンガー電極セット３４０を有する。
【００４４】
第１の電極３４は更に第２の方向５２に沿って延伸されて形成された複数の第１の内側接続電極部６１を有し、第２の方向５２沿いに隣り合わせた２つの第１のフィンガー電極セット３４０、３４０は、第１の内側接続電極部６１によって連結されている。
【００４５】
第１の電極３４は更に、電池本体３１の第１の方向５１の一側前後（図面の右側）の２つの角部に向かって第１の方向５１に沿って延伸された第１のフィンガー電極部３４１の外側端部３４５を連結した２つのコーナー接続電極部６６、６６と、コーナー接続電極部６６、６６より続いて第１のバスバー電極部３４１の第２の方向５２の両端部３４１ａ、３４１ｂのそれぞれと電池本体３１の第２の方向５２沿いの両端側の端側縁部のそれぞれに最も近い第１の内側接続電極部６１の前記端側縁部に向かって延伸された延伸端部とを連結している第１のエッジ接続電極部６４、第２のエッジ接続電極部６５とを有する。
【００４６】
第２のフィンガー電極部３５２は、第２のバスバー電極部３５１の第２の方向５２の両側のそれぞれより第１の方向５１の外向きに延伸されて形成されており、第２のバスバー電極部３５１と繋がっている第２の内側端部３５４と、第２の内側端部３５４と反対側の第２の外側端部３５５とを有する。
【００４７】
第２のバスバー電極部３５１の第２の方向５２の一側及び他側の隣り合った２つの第２のフィンガー電極部３５２、３５２がセットとなって第２のサイド接続電極部３０によって連結され、第２のバスバー電極部３５１の一側の第２のサイド接続電極部３０は他側の第２のサイド接続電極部３０と対向すると共に、第１のバスバー電極部３４１の他側の第１のサイド接続電極部３９と交錯して隣接されている。
【００４８】
セットとなった２つの第２のフィンガー電極部３５２、３５２のそれぞれの第２の外側端部３５５、３５５が第２のサイド接続電極部３０によって連結されており、第２のサイド接続電極部３０とにより第２のフィンガー電極セット３５０とすることで、第２の電極３５は第２のバスバー電極部３５１の第２の方向５２の両側に第２の方向５２に沿って並列配置された複数の第２のフィンガー電極セット３５０を有する。
【００４９】
第２の電極３５は更に、第２の方向５２沿いに隣り合った２つの第２のフィンガー電極セット３５０、３５０を連結している第２の内側接続電極部６２と、第２のバスバー電極部３５１の第２の方向５２の両端部３５１ａ、３５１ｂのそれぞれと電池本体３１の第２の方向５２沿いの両端側の端側縁部のそれぞれに最も近い第２のフィンガー電極セット３５０の前記端側縁部側の第２のフィンガー電極部３５２とを連結している第３のエッジ接続電極部６７、第４のエッジ接続電極部６８とを有する。なお、第２の電極３５は、コーナー接続電極部６６を有しないがその他は第１の電極３４とほぼ同様である。
【００５０】
第３の電極３６は、第１の電極３４の構成とほぼ同様であり、第３のフィンガー電極部３６２は、第３のバスバー電極部３６１の第２の方向５２の両側より第１の方向５１の外向きに延伸されて形成されており、第３のバスバー電極部３６１と繋がっている第３の内側端部３６４と、第３の内側端部３６４と反対側の第３の外側端部３６５とを有する。第３のバスバー電極部３６１の第２の方向５２の一側及び他側の隣り合った２つの第３のフィンガー電極部３６２がセットとなって第３のサイド接続電極部３７、３７によって連結されている。
【００５１】
第３のバスバー電極部３６１の一側の第３のサイド接続電極部３７は、他側の第３のサイド接続電極部３７と対向すると共に、第２のバスバー電極部３５の他側の第２のサイド接続電極部３０と交錯して隣接するように並んでいる。
【００５２】
セットとなった２つの第３のフィンガー電極部３６２、３６２のそれぞれの第３の外側端部３６５、３６５が第３のサイド接続電極部３７によって連結されており、該第３のサイド接続電極部３７とにより第３のフィンガー電極セット３６０とすることで、第３の電極３６は第３のバスバー電極部３６１の第２の方向５２の両側に第２の方向５２に沿って並列配置された複数の第３のフィンガー電極セット３６０を有する。
【００５３】
第３の電極３６は更に第２の方向５２に沿って延伸されて形成された複数の第３の内側接続電極部６３を有し、第２の方向５２沿いに隣り合った２つの第３のフィンガー電極セット３６０、３６０は、第３の内側接続電極部６３によって連結されている。
【００５４】
第３の電極３６は更に電池本体３１の第１の方向５１の他側前後（図面の左側）の２つの角部に向かって第１の方向５１に沿って延伸された第３のフィンガー電極部３６２の第３の外側端部３６５を連結したコーナー接続電極部６６、６６と、コーナー接続電極部６６、６６より続いて第３のバスバー電極部３６１の第２の方向５２の両端部３６１ａ、３６１ｂのそれぞれと電池本体３１の第２の方向５２沿いの両端側の端側縁部のそれぞれに最も近い第３の内側接続電極部６３の前記端側縁部に向かって延伸された延伸端部とを連結している第１のエッジ接続電極部６４、第２のエッジ接続電極部６５とを有する。
【００５５】
第１のバスバー電極部３４１の他側に隣り合って並んでいる第１のフィンガー電極セット３４０と第２のバスバー電極部３５１の一側に隣り合って並んでいる第２のフィンガー電極セット３５０とは交錯して並ぶ、第２のバスバー電極部３５１の他側に隣り合って並んでいる第２のフィンガーセット３５０と第３のバスバー電極部３６１の一側に隣り合って並んでいる第３のフィンガーセット３６０とは交錯して並ぶ、第１のフィンガー電極セット３４０と第３のフィンガー電極セット３６０とは対向するようにそれぞれ設けられている。
【００５６】
第１のフィンガー電極セット３４０、第２のフィンガー電極セット３５０及び第３のフィンガー電極セット３６０はそれぞれ第１〜第３の内側接続電極部６１〜６３によって連結されているので、連続する導電ネットワークを形成することができる。これによって電流を集める効果が向上する。
【００５７】
第４の実施形態では、例えば第１のバスバー電極部３４１の一側又は他側（図７では、他側つまり左側）で隣り合って並んだ２つの第１のフィンガー電極部３４２の距離と、第２のバスバー電極部３５１の一側又は他側（図７では、一側つまり右側）の隣り合って並んだ２つの第２のフィンガー電極部３５２の距離をｄ１、第１のフィンガー電極部３４２の第２の電極３５側の第１の外側端部３４５を通る第２の方向５２沿いの直線を第１の直線Ｌ１、第２のフィンガー電極部３５２の第１の電極３４側の第２の外側端部３５５を通る第２の方向５２沿いの直線を第２の直線Ｌ２、Ｌ１とＬ２との間の距離をｄ２とすると、ｄ１≧ｄ２＞１００μｍである。
【００５８】
太陽電池は、エレクトロルミネセンス（ＥＬ）の発光原理によってバイアスをかけて発光させる試験を行うことで、電池表面の発光にむらが発生したかどうかを確認することによって太陽電池の電気特性を検出する。太陽電池において電流量が大きい箇所の輝度が大きく、電流量が小さい箇所の輝度が小さいことが発光試験からは分かる。即ち、発光試験によって第１の直線Ｌ１及び第２の直線Ｌ２の間が暗く帯状ダークラインとして現される。これは、発光むらによって発生したことではなく、ただそこに集められた電流の量が少なく、その上電池全体の映像のコントラストによって引き起こされた現象である。太陽電池の電気特性の向上のためには、ダークエリアを低減するかコントラストを低減することが考えられる。そのため、第１の直線Ｌ１と第２の直線Ｌ２ｌとの間の距離ｄ２は大きくならない方がよく、ｄ１と同じ或いはより小さいことが好ましい。
【００５９】
その一方、各フィンガー電極部及び接続電極部は発光試験では比較的暗く灰色の細線として示されるため、第１の直線Ｌ１と第２の直線Ｌ２が近づいてｄ２が小さい場合、第１のサイド接続電極部３９と第２のサイド接続電極部３０とで形成された灰色の細線がかなり近づくことになり、発光試験にてダークラインが明らかに現れるのは好ましくないため、ｄ２＞１００μｍであることが好ましい。
【００６０】
ｄ１は、フィンガー電極部の数により調節することができる。ｄ１については制限されないが、ダークラインを抑えるためにｄ１＞１００μｍである方が好ましい。
【００６１】
この実施形態では、第１のフィンガー電極部３４２及び第２のフィンガー電極部３５２の第１の方向５１沿いの長さをＸ、第１の内側接続電極部６１から第１の直線Ｌ１に至る第１の方向５１沿いの距離をｄ３、第２の内側接続電極部６２から第２の直線Ｌ２に至る第１の方向５１沿いの距離をｄ４とするとき、ｄ３＝Ｘ／２〜Ｘ／３、ｄ４＝Ｘ／２〜Ｘ／３とすると、発光試験の結果を改善する効果を有する。
【００６２】
この実施形態では、第１のエッジ接続電極部６４及び第２のエッジ接続電極部６５によって対応して連結されたバスバー電極部及びフィンガー電極部とでより良好な導電ネットワークを形成することができるので、電流収集効果を向上することができる。
【００６３】
この実施形態では、上記実施形態と同様にフィンガー電極部及び接続電極部は連続して形成しないので、ペーストの使用量を低減することができ、太陽電池の製造コストを低く抑えることができる。更に、フィンガー電極セット間の距離ｄ１、内側接続電極部とサイド接続電極部との間の第１の方向５１沿いの距離ｄ３、ｄ４、及びバスバー電極部とサイド接続電極部との間の距離Ｘを発光試験において良好な電気特性が得られるよう発光むらの発生しないように制限すると、スループットを上げることができる。
【００６４】
（第５の実施形態）
図８は、本考案に係る太陽電池モジュールの第５の実施形態の構成を示す平面図である。なお、この実施形態は、第１の実施形態及び第４の実施形態の構成を取り入れて構成されたものである。
【００６５】
第１の電極３４は、第１の方向５１と同一平面で直角の第２の方向５２に沿って帯状に延びて形成された第１のバスバー電極部３４１と、第１のバスバー電極部３４１の第２の方向５２の両側のそれぞれより第１の方向５１に沿って延びると共に互いに隔てて並列されるように形成された複数の第１のフィンガー電極部３４２とを有する。
【００６６】
第１のフィンガー電極部３４２は、第１のバスバー電極部３４１の第２の方向５２の両側のそれぞれより第１の方向５１の外向きに延伸されて形成されており、第１のバスバー電極部３４１と繋がっている第１の内側端部３４４と、第１の内側端部３４４と反対側の第１の外側端部３４５とを有する。
【００６７】
この実施形態において、第１の電極３４は更に、第１のバスバー電極部３４１と第１のフィンガー電極部３４２を取り囲むようにリング状に設けられた第１の接続電極部３４３を有し、第１の接続電極部３４３は、第１のバスバー電極部３４１の第２の方向５２沿いの両端部３４１ａ、３４１ｂと、第１のフィンガー電極部３４２の第１の外側端部３４５のそれぞれとを繋いで設けられている。なお、第１の接続電極部３４３の役割は第１の実施形態と同様でありその説明を省略する。
【００６８】
第１の電極３４は更に第２の方向５２に沿って延伸されて形成された複数の第１の内側接続電極部７１を有し、第２の方向５２沿いに隣り合った２つの第１のフィンガー電極部３４２、３４２は、第１の内側接続電極部７１によって連結されている。
【００６９】
第２の電極３５は、第１の電極３４と同様に、１本の第２のバスバー電極部３５１と、第２のバスバー電極部３５１の第２の方向５２の両側に接続されて延伸されている複数の第２のフィンガー電極３５２と、第２のバスバー電極部３５１と複数の第２のフィンガー電極部３５２とを取り囲んで接続されているリング状に形成された第２の接続電極部３５３を有する。
【００７０】
第２のフィンガー電極部３５２は、第２のバスバー電極部３５１の第２の方向５２の両側のそれぞれより第１の方向５１の外向きに延伸されて形成されており、第２のバスバー電極部３５１と繋がっている第２の内側端部３５４と、第２の内側端部３５４と反対側の第２の外側端部３５５とを有する。
【００７１】
第２の電極３５は更に、第２のバスバー電極部３５１と第２のフィンガー電極部３５２を取り囲むようにリング状に設けられた第２の接続電極部３５３を有し、第２の接続電極部３５３は、第２のバスバー電極部３５１の第２の方向５２沿いの両端部３５１ａ、３５１ｂと、第２のフィンガー電極部３５２の第２の外側端部３５５のそれぞれとを繋いで設けられている。なお、第２の接続電極部３５３の役割は第１の実施形態と同様でありその説明を省略する。
【００７２】
第２の電極３５は更に第２の方向５２に沿って延伸されて形成された複数の第２の内側接続電極部７２を有し、第２の方向５２沿いに隣り合った２つの第２のフィンガー電極部３５２、３５２は、第２の内側接続電極部７２によって連結されている。
【００７３】
第３の電極３６は、第１の電極３４及び第２の電極３５と同様に、１本の第３のバスバー電極部３６１と、第３のバスバー電極部３６１の両側に接続され第２の方向５２に並列されている複数の第３のフィンガー電極部３６２と、第３のバスバー電極部３６１と複数の第３のフィンガー電極部３６２とを取り囲んで接続されている第３の接続電極部３６３とを有する。
【００７４】
第３のフィンガー電極部３６２は、第３のバスバー電極部３６１の第２の方向５２の両側のそれぞれより第１の方向５１の外向きに延伸されて形成されており、第３のバスバー電極部３６１と繋がっている第３の内側端部３６４と、第３の内側端部３６４と反対側の第３の外側端部３６５とを有する。
【００７５】
第３の電極３６は更に、第３のバスバー電極部３６１と第３のフィンガー電極部３６２を取り囲むようにリング状に設けられた第３の接続電極部３６３を有し、第３の接続電極部３６３は、第３のバスバー電極部３６１の第２の方向５２沿いの両端部３６１ａ、３６１ｂと、第３のフィンガー電極部３６２の第３の外側端部３６５のそれぞれとを繋いで設けられている。なお、第２の接続電極部３５３の役割は第１の実施形態と同様でありその説明を省略する。
【００７６】
第３の電極３６は更に第２の方向５２に沿って延伸されて形成された複数の第３の内側接続電極部７３を有し、第２の方向５２沿いに隣り合った２つの第３のフィンガー電極部３６２、３６２は、第３の内側接続電極部７３によって連結されている。
【００７７】
第１のフィンガー電極部３４２と第２のフィンガー電極部３５２とは連結されずに第１の方向５１に沿って並列されるように設けられ、また、第２のフィンガー電極部３５２と第３のフィンガー電極部３６２とは連結されずに第１の方向５１に沿って並列されるように設けられている。
第１の接続電極部３４３、第２の接続電極部３５３及び第３の接続電極部３６３は、それらの線幅が例えば３０μｍ〜１２０μｍであるように形成されている。
【００７８】
この実施形態に係る太陽電池及び太陽電池モジュールは、従来のフィンガー電極の連続的に連結された構成と比べて、第１のフィンガー電極部３４２及び第２のフィンガー電極部３５２の間、第２のフィンガー電極部３５２及び第３のフィンガー電極部３６２の間が接続されず隣り合うように配置されていることで、電極の電流収集効果を良好に保つことができる上、導電ペーストの使用量を少なくすることができ、製造コストを低く抑えることができる。
【００７９】
なお、第４の実施形態、第５の実施形態では、内側接続電極部６１〜６３、７１〜７３はそれぞれ対応するバスバー電極部３４１、３５１、３６１から離れて対応するフィンガー電極部３４２、３５２、３６２の外側端部に近づいて設置されている。また、内側接続電極部６１〜６３、７１〜７３は第２の方向５２沿いに隣接したフィンガー電極部の外側端部に沿う直線よりも対応するバスバー電極部に近づいて設置されている。
【００８０】
また、第１の内側接続電極部６１、７１のそれぞれの中心を通る第１の方向５１沿いの直線が第２の内側接続電極部６２、７２を通らずに第３の内側接続電極部６３、７３の中心を通るよう第１の内側接続電極部６１、７１のそれぞれが第２の内側接続電極部６２、７２と交錯すると共に第３の内側接続電極部６３、７３のそれぞれに対向して設置されている。なお、各内側接続電極部６１〜６３、７１〜７３は互いに対応して対向するように設けられてもよい。
【００８１】
以上により、本考案に係る太陽電池及び該太陽電池による太陽電池モジュールは、電極の電流収集効果を良好に保つことができる上、導電ペーストの使用量を少なくすることができ、製造コストを低く抑えることができる。
【産業上の利用可能性】
【００８２】
本考案に係る太陽電池は、製造コストの低減を図る太陽電池に有用である。
【符号の説明】
【００８３】
１  第１のプレート状部材
２  第２のプレート状部材
３  太陽電池
３１  電池本体
３１０  基板
３１１  表面
３１２  裏面
３１３  エミッタ層
３１４  反射防止層
３２  裏面電極ユニット
３３  表面電極ユニット
３４、３５、３６  電極
３４０、３５０、３６０  フィンガー電極セット
３４１、４５１、３６１  バスバー電極部
３４１ａ、３４１ｂ、３５１ａ、３５１ｂ、３６１ａ、３６１ｂ  端部
３４２、３５２、３６２  フィンガー電極部
３４３、３５３、３６３  接続電極部（リング状）
３４４、３４５、３５４、３５５、３６４、３６５  内側端部
３８  接続電極部
３８ａ  一側接続電極部
３８ｂ  他側接続電極部
３９、３０、３７、  サイド接続電極部
４  パッケージ部材
５１  第１の方向
５２  第２の方向
６１〜６３、７１〜７３  内側接続電極部
６４、６５、６７、６８  エッジ接続電極部
６６  コーナー接続電極部
Ｌ１、Ｌ２  フィンガー電極部の外側端部を通る第２の方向沿いの直線
ｄ１  フィンガー電極部（セット）間の距離
ｄ２  Ｌ１とＬ２との間の距離
ｄ３、ｄ４  内側接続電極部とサイド接続電極部との間の第１の方向沿いの距離
Ｘ  バスバー電極部とサイド接続電極部との間の距離
【図１】
0003188712.tif 000003
【図２】
0003188712.tif 000004
【図３】
0003188712.tif 000005
【図４】
0003188712.tif 000006
【図５】
0003188712.tif 000007
【図６】
0003188712.tif 000008
【図７】
0003188712.tif 000009
【図８】
0003188712.tif 000010
【手続補正書】
【提出日】平成25年11月25日(2013.11.25)
【手続補正１】
【補正対象書類名】実用新案登録請求の範囲
【補正対象項目名】請求項１
【補正方法】変更
【補正の内容】
【請求項１】
受光面としての表面と該表面と背中合わせの裏面とを有する基板と、
前記基板の前記裏面に設けられている裏面電極ユニットと、
前記基板の前記表面の表側に設けられており、互いに接触せずに隔てて第１の方向に並列されている第１の電極と、第２の電極と、第３の電極とを有する表面電極ユニットと、を備え、
前記第１の電極は、前記第１の方向と同一平面で直角の第２の方向に沿って延びて形成された第１のバスバー電極部と、前記第１のバスバー電極部の前記第２の方向の両側のそれぞれより前記第１の方向に沿って延びると共に前記第２の方向沿いに互いに隔てて並列されるように形成された複数の第１のフィンガー電極部とを有し、
前記第２の電極は、前記第２の方向に沿って延びて形成された第２のバスバー電極部と、前記第２のバスバー電極部の前記第２の方向の両側のそれぞれより前記第１の方向に沿って延びると共に前記第２の方向沿いに互いに隔てて並列されるように形成された複数の第２のフィンガー電極部とを有し、
前記第３の電極は、前記第１の方向沿いに前記第２の電極を隔てて前記第１の電極と並列するように、前記第２の方向に沿って延びて形成された第３のバスバー電極部と、前記第３のバスバー電極部の前記第２の方向の両側のそれぞれより前記第１の方向に沿って延びると共に前記第２の方向沿いに互いに隔てて並列されるように形成された複数の第３のフィンガー電極部とを有し、
前記第１のフィンガー電極部と前記第２のフィンガー電極部とは互いに連結されずに並ぶように設けられ、
前記第２のフィンガー電極部と前記第３のフィンガー電極部とは互いに連結されずに並ぶように設けられていることを特徴とする太陽電池。
【手続補正２】
【補正対象書類名】明細書
【補正対象項目名】０００７
【補正方法】変更
【補正の内容】
【０００７】
上記目的を達成するために、一の観点によれば、本考案は、受光面としての表面と該表面と背中合わせの裏面とを有する基板と、前記基板の前記裏面に設けられている裏面電極ユニットと、前記基板の前記表面の表側に設けられており、互いに接触せずに隔てて第１の方向に並列されている第１の電極と、第２の電極と、第３の電極とを有する表面電極ユニットと、を備え、前記第１の電極は、前記第１の方向と同一平面で直角の第２の方向に沿って延びて形成された第１のバスバー電極部と、前記第１のバスバー電極部の前記第２の方向の両側のそれぞれより前記第１の方向に沿って延びると共に前記第２の方向沿いに互いに隔てて並列されるように形成された複数の第１のフィンガー電極部とを有し、前記第２の電極は、前記第２の方向に沿って延びて形成された第２のバスバー電極部と、前記第２のバスバー電極部の前記第２の方向の両側のそれぞれより前記第１の方向に沿って延びると共に前記第２の方向沿いに互いに隔てて並列されるように形成された複数の第２のフィンガー電極部とを有し、前記第３の電極は、前記第１の方向沿いに前記第２の電極を隔てて前記第１の電極と並列するように、前記第２の方向に沿って延びて形成された第３のバスバー電極部と、前記第３のバスバー電極部の前記第２の方向の両側のそれぞれより前記第１の方向に沿って延びると共に前記第２の方向沿いに互いに隔てて並列されるように形成された複数の第３のフィンガー電極部とを有し、前記第１のフィンガー電極部と前記第２のフィンガー電極部とは互いに連結されずに並ぶように設けられ、前記第２のフィンガー電極部と前記第３のフィンガー電極部とは互いに連結されずに並ぶように設けられていることを特徴とする太陽電池を提供する。